(57)【要約】【課題】日常的に所持することに抵抗のない安価な呼び子を提供する。【解決手段】  呼び子１は、表側意匠用外殻１１ａを有する表側部材３と、表側部材３と接合することによって表側意匠用外殻１１ａとともに全体意匠用外殻１１を構成する裏側意匠用外殻１１ｂを有する裏側部材５とを備えている。表側部材３および裏側部材５の双方または一方に、全体意匠用外殻１１の内部空間２７を仕切る隔壁２１を一体的に形成し、当該隔壁２１並びに表側意匠用外殻１１ａおよび裏側意匠用外殻１１ｂによって略囲まれた所定形状の１つの空間をキャビティ１９として用いる。発生音の周波数や音量など、呼び子として要求される機能を発揮するための所定寸法のキャビティ２１を確保しつつ、全体意匠用外殻１１によって、所望の意匠的外観を表すことができる。また、表側部材３と裏側部材５を接合することで呼び子１を形成することができるから、製造コストが極めて安価である。【選択図】図１
2005258146.tif 000002
【特許請求の範囲】
【請求項１】
第１意匠用外殻を有する第１合成樹脂成形体と、
第１合成樹脂成形体と接合することによって第１意匠用外殻とともに全体意匠用外殻を構成する第２意匠用外殻を有する第２合成樹脂成形体と、
を備えた呼び子であって、
第１および第２合成樹脂成形体の双方または一方に、全体意匠用外殻の内部空間を仕切る隔壁を一体的に形成し、当該隔壁並びに第１および第２意匠用外殻によって略囲まれた所定形状の１つの空間をキャビティとして用いるよう構成したこと、
を特徴とする呼び子。
【請求項２】
請求項１の呼び子において、
全体意匠用外殻により表される意匠の主たる鑑賞面を第１意匠用外殻側とし、
第２合成樹脂成形体の第２意匠用外殻の一部を切り欠いてキャビティに連通する音響穴を形成するとともに、キャビティと連通する中空状のマウスピースを第２意匠用外殻側に配置するよう構成したこと、
を特徴とするもの。
【発明の詳細な説明】
【技術分野】
【０００１】
この発明は、呼び子に関し、とくに合成樹脂により構成された呼び子に関する。
【背景技術】
【０００２】
危急の難事を周辺に知らせる危難報知手段として、電池を電源とする携帯用の防犯ブザーが用いられている。このような防犯ブザーにおいては定期的な電池の点検・交換が必須である。しかし、電池の点検・交換は煩雑であり費用もかかるうえ、防犯ブザーを鳴動させる必要のある危難に遭遇することが一人一人にとって必ずしも頻繁にあるわけではないため、メンテナンスを怠りがちになる。しかし、いざというときに電池が放電していては、役に立たない。
【０００３】
このような問題を解決するには、たとえば、呼び子を用いればよい。呼び子を用いることで、メンテナンスフリーで且つ安価な危難報知手段を実現することができる。しかしながら、従来の呼び子は、外観から直ちにそれとわかるものであった。このため、とくに女性や子供にとっては、呼び子を、バッグ・ランドセル・キーホルダー・携帯電話などに付けておくなど日常的に所持することに抵抗があり、あまり使用されていなかった。
【発明の開示】
【発明が解決しようとする課題】
【０００４】
この発明は、危難報知手段としての呼び子の活用を図るべく、従来の呼び子の問題点を解決し、日常的に所持することに抵抗のない安価な呼び子を提供することを目的とする。
【課題を解決するための手段】
【０００５】
この発明は、呼び子に関し、第１意匠用外殻を有する第１合成樹脂成形体と、第１合成樹脂成形体と接合することによって第１意匠用外殻とともに全体意匠用外殻を構成する第２意匠用外殻を有する第２合成樹脂成形体と、を備えた呼び子であって、第１および第２合成樹脂成形体の双方または一方に、全体意匠用外殻の内部空間を仕切る隔壁を一体的に形成し、当該隔壁並びに第１および第２意匠用外殻によって略囲まれた所定形状の１つの空間をキャビティとして用いるよう構成したこと、を特徴とする。
【０００６】
本発明の特徴は、上記のように広く示すことができるが、その構成や内容は、目的および特徴とともに、図面を考慮に入れた上で、以下の開示によりさらに明らかになるであろう。
【発明の効果】
【０００７】
請求項１の呼び子は、第１意匠用外殻を有する第１合成樹脂成形体と、第１合成樹脂成形体と接合することによって第１意匠用外殻とともに全体意匠用外殻を構成する第２意匠用外殻を有する第２合成樹脂成形体と、を備えている。第１および第２合成樹脂成形体の双方または一方に、全体意匠用外殻の内部空間を仕切る隔壁を一体的に形成し、当該隔壁並びに第１および第２意匠用外殻によって略囲まれた所定形状の１つの空間をキャビティとして用いるよう構成している。
【０００８】
したがって、隔壁並びに第１および第２意匠用外殻によって略囲まれた所定形状の１つの空間をキャビティとして用いることで、発生音の周波数や音量など、呼び子として要求される機能を発揮するための所定寸法のキャビティを確保しつつ、第１および第２意匠用外殻を合わせて構成される全体意匠用外殻によって、所望の意匠的外観を与えることができる。また、第１および第２合成樹脂成形体を接合することで呼び子を形成することができるから、製造コストが極めて安価である。すなわち、この発明によれば、日常的に所持することに抵抗のない安価な呼び子を実現することができる。
【０００９】
請求項２の呼び子においては、全体意匠用外殻により表される意匠の主たる鑑賞面を第１意匠用外殻側としている。また、第２合成樹脂成形体の第２意匠用外殻の一部を切り欠いてキャビティに連通する音響穴を形成するとともに、キャビティと連通する中空状のマウスピースを第２意匠用外殻側に配置するよう構成している。
【００１０】
したがって、たとえば、全体意匠用外殻により表される意匠をアニメーション等のキャラクターを表す立体形状全体とした場合、当該キャラクターを正面から見た部分を、主たる鑑賞面として第１意匠用外殻側に形成する一方、呼び子の機能部分であり機能上必要な寸法・形状が要求される音響穴およびマウスピースを、当該キャラクターの背面を構成する第２意匠用外殻側に配置するのである。このように構成することで、主たる鑑賞面からみたときに、呼び子のイメージをほとんど感じさせないようにすることができる。
【発明を実施するための最良の形態】
【００１１】
図１Ａ、図１Ｂおよび図１Ｃは、それぞれ、この発明の一実施形態による呼び子１の構成を示す正面図、右側面図および背面図である。図２Ａおよび図２Ｂは、それぞれ、呼び子１を構成する表側部材３の構成を示す背面図（呼び子１の内側から見た図）および右側面図である。図３Ａおよび図３Ｂは、それぞれ、呼び子１を構成する裏側部材５の構成を示す正面図（呼び子１の内側から見た図）および右側面図である。
【００１２】
図１Ｂに示すように、呼び子１は、第１合成樹脂成形体である表側部材３と、第２合成樹脂成形体である裏側部材５とを備えている。表側部材３および裏側部材５は、ともにプラスチック等の合成樹脂を用いて別体として成形されたあと、所定平面を構成する基準接合面７を含む表側部材３および裏側部材５の接合面において相互に接合され、呼び子１が完成する。
【００１３】
表側部材３は、第１意匠用外殻である表側意匠用外殻１１ａと、表側意匠用外殻１１ａの一端（図１Ｂの下方端）にこれに連続して形成された表側マウスピース部１５ａと、表側意匠用外殻１１ａの他端（図１Ｂの上方端）にこれに連続して形成された表側吊り下げ用環１７ａとを備えている。表側マウスピース部１５ａは、表側意匠用外殻１１ａの上記一端から、基準接合面７を超えて裏側部材５よりの位置に形成されている。
【００１４】
表側部材３の表側意匠用外殻１１ａの外側面（正面）には、図１Ａに示すように、アニメーション等のキャラクターの姿態の前半分が立体的に形成されている。表側部材３の表側意匠用外殻１１ａの内部には、図２Ａに示すように、表側隔壁２１ａと、一対の表側結合部２３ａとが、表側意匠用外殻１１ａと一体に形成されている。図１Ｂまたは図２Ｂに示すように、表側隔壁２１ａは、表側意匠用外殻１１ａと略同一厚さの隔壁であり、表側意匠用外殻１１ａの略内側底部（図１ＢのＰ１方向端部）から、これと略反対方向（図１ＢのＰ２方向）すなわち裏側部材５側に向けて立設され、表側隔壁２１ａの裏側部材５方向の端部（解放端）は、基準接合面７と略面一（略同一平面）になるよう構成されている。表側意匠用外殻１１ａの一部と表側隔壁２１ａとにより、表側意匠用外殻１１ａの内側に、略半円柱形の空間が形成されている。
【００１５】
表側結合部２３ａは、略中央に挿入用穴を有する略円筒状部材であり、表側意匠用外殻１１ａの略内側底部（図１ＢのＰ１方向端部）から、これと略反対方向（図１ＢのＰ２方向）すなわち裏側部材５側に向けて立設され、表側結合部２３ａの裏側部材５方向の端部は、基準接合面７と略面一（略同一平面）になるか、または、これよりややＰ１方向よりになるよう構成されている。図１Ｂおよび図１Ｃ、または、図２Ａおよび図２Ｂに示すように、一対の表側結合部２３ａは、上述の表側意匠用外殻１１ａの一部と表側隔壁２１ａとにより形成された略半円柱形の空間の外側であって、これを挟む略対称位置に形成されている。
【００１６】
裏側部材５は、第２意匠用外殻である裏側意匠用外殻１１ｂと、裏側意匠用外殻１１ｂの一端（図１Ｂの下方端）近傍にこれに連続して形成された裏側マウスピース部１５ｂと、裏側意匠用外殻１１ｂの他端（図１Ｂの上方端）にこれに連続して形成された裏側吊り下げ用環１７ｂとを備えている。裏側マウスピース部１５ｂは、裏側意匠用外殻１１ｂの上記一端近傍であって、基準接合面７に対して表側部材３と反対方向（図１ＢのＰ２方向）よりの位置に形成されている。
【００１７】
裏側部材５の裏側意匠用外殻１１ｂの外側面（背面）には、図１Ｃに示すように、アニメーション等のキャラクターの姿態の後半分が立体的に形成されている。裏側部材５の裏側意匠用外殻１１ｂの内部には、図３Ａに示すように、裏側隔壁２１ｂと、一対の裏側結合部２３ｂとが、裏側意匠用外殻１１ｂと一体に形成されている。図１Ｂまたは図３Ｂに示すように、裏側隔壁２１ｂは、裏側意匠用外殻１１ｂと略同一厚さの隔壁であり、裏側意匠用外殻１１ｂの略内側底部（図１ＢのＰ２方向端部）から、これと略反対方向（図１ＢのＰ１方向）すなわち表側部材３側に向けて立設され、裏側隔壁２１ｂの表側部材３方向の端部（解放端）は、基準接合面７と略面一（略同一平面）になるよう構成されている。裏側意匠用外殻１１ｂの一部と裏側隔壁２１ｂとにより、裏側意匠用外殻１１ｂの内側に、略半円柱形の空間が形成されている。
【００１８】
裏側結合部２３ｂは、表側部材３の表側結合部２３ａの挿入用穴に挿入可能な略円柱状部材であり、裏側意匠用外殻１１ｂの略内側底部（図１ＢのＰ２方向端部）から、これと略反対方向（図１ＢのＰ１方向）すなわち表側部材３側に向けて立設され、裏側結合部２３ｂの表側部材３方向の端部は、基準接合面７よりＰ１方向側に突出するよう構成されている。図１Ｂおよび図１Ｃ、または、図３Ａおよび図３Ｂに示すように、一対の裏側結合部２３ｂは、上述の裏側意匠用外殻１１ｂの一部と裏側隔壁２１ｂとにより形成された略半円柱形の空間の外側であって、これを挟む略対称位置に形成されている。
【００１９】
また、裏側部材５の裏側意匠用外殻１１ｂの、裏側マウスピース部１５ｂの基端部近傍には、上述の略半円柱形の空間と外側とを連通するように、略長方形の音響穴１３が形成されている。
【００２０】
このような構成の表側部材３と裏側部材５とを接合することで、上述のように、呼び子１が得られるのである。接合は、表側部材３の一対の表側結合部２３ａの挿入用穴に、裏側部材５の一対の裏側結合部２３ｂを挿入しつつ、基準接合面７を含む表側部材３および裏側部材５の接合面が相互に略当接するよう配置することにより行う。この場合、表側部材３と裏側部材５との間の適部に接着剤を塗布しておくのが好ましい。
【００２１】
表側部材３と裏側部材５とを接合することにより、表側意匠用外殻１１ａと裏側意匠用外殻１１ｂとが一体化されて全体意匠用外殻１１が形成される。これにより、たとえばアニメーション等のキャラクターの姿態の全体が立体的に形成されることになる。
【００２２】
表側部材３と裏側部材５とを接合することにより、表側マウスピース部１５ａと裏側マウスピース部１５ｂとが一体化されてマウスピース１５が形成される。なお、図１Ｂに示すように、マウスピース１５は、基準接合面７よりも裏側意匠用外殻１１ｂより（図１ＢのＰ２方向より）の目立ちにくい位置に配置されていることがわかる。
【００２３】
表側部材３と裏側部材５とを接合することにより、表側吊り下げ用環１７ａと裏側吊り下げ用環１７ｂとが一体化されて吊り下げ用環１７が形成される。吊り下げ用環１７には、キーホルダー、携帯電話用ストラップ、吊りひもなどを装着して用いることができる。
【００２４】
また、表側部材３と裏側部材５とを接合することにより、表側隔壁２１ａと裏側隔壁２１ｂとが一体化されて隔壁２１が形成される。隔壁２１と、表側意匠用外殻１１ａの一部と、裏側意匠用外殻１１ｂの一部とによって囲まれた空間がキャビティ１９である。換言すれば、上述の表側意匠用外殻１１ａの一部と表側隔壁２１ａとによって表側意匠用外殻１１ａの内側に形成された略半円柱形の空間と、裏側意匠用外殻１１ｂの一部と裏側隔壁２１ｂとによって裏側意匠用外殻１１ｂの内側に形成された略半円柱形の空間とが一体化されて、略円柱形のキャビティ１９が形成されることになる。
【００２５】
つまり、全体意匠用外殻１１の内部空間２７が、隔壁２１によって、キャビティ１９と非キャビティ空間２５とに分けられるのである。このように構成することで、全体意匠用外殻１１がいかなる形状であっても、成形時における合成樹脂材料の引け等による成形不良の発生を防止することができ、且つ、所望の周波数および音量の発生音を確保することができるので、呼び子としての機能を維持しつつ外観デザインの自由度が極めて高い安価な呼び子を形成することが可能となる。
【００２６】
図１Ｂに示すように、マウスピース１５の中空部１５ｃは、このキャビティ１９に連通している。音響穴１３もキャビティ１９に連通している。また、この実施形態においては、表側部材３と裏側部材５とを接合する際、キャビティ１９内に、たとえば合成樹脂製の小玉９を封入するようにしている。このようにして、呼び子１が形成される。
【００２７】
このようにして形成された呼び子１のマウスピース１５から空気（息）を吹き込むと音響穴１３から出て行くが、この過程で、キャビティ１９内に空気の振動が生じ、音が発生する。この実施形態では、キャビティ１９内に小玉９を封入していることから、空気の流れによって小玉９がキャビティ１９内を動き回り、この結果、周波数の揺らぎが生ずる。この周波数の揺らぎによって、「ピリピリッ」という特有の揺らぎ音が発生する。
【００２８】
この呼び子１の吊り下げ用環１７にキーホルダー、携帯電話用ストラップ、吊りひもなどを装着し、普段はアクセサリーとして、バッグ、ランドセルなどに取り付けるか、直接、身につけておき、危急の難事に際しては、呼び子、すなわち、危難報知手段として使用することで、周囲に危難を知らせるのである。
【００２９】
このように、呼び子１は、表側意匠用外殻１１ａを有する表側部材３と、表側部材３と接合することによって表側意匠用外殻１１ａとともに全体意匠用外殻１１を構成する裏側意匠用外殻１１ｂを有する裏側部材５とを備え、表側部材３および裏側部材５の双方または一方に、全体意匠用外殻１１の内部空間２７を仕切る隔壁２１を一体的に形成し、当該隔壁２１並びに表側意匠用外殻１１ａおよび裏側意匠用外殻１１ｂによって略囲まれた所定形状の１つの空間をキャビティ１９として用いるようにしている。
【００３０】
すなわち、隔壁２１並びに表側意匠用外殻１１ａおよび裏側意匠用外殻１１ｂによって略囲まれた所定形状の１つの空間をキャビティ２１として用いることで、発生音の周波数や音量など、呼び子として要求される機能を発揮するための所定寸法のキャビティ２１を確保しつつ、表側意匠用外殻１１ａおよび裏側意匠用外殻１１ｂを合わせて構成される全体意匠用外殻１１によって、所望の意匠的外観、たとえばアニメーションのキャラクターの立体的姿態を表すことができる。また、表側部材３と裏側部材５を接合することで呼び子１を形成することができるから、製造コストが極めて安価である。
【００３１】
また、呼び子１は、全体意匠用外殻１１により表される意匠の主たる鑑賞面を表側意匠用外殻１１ａ側とし、かつ、裏側部材５の裏側意匠用外殻１１ｂの一部を切り欠いてキャビティ１９に連通する音響穴１３を形成するとともに、キャビティ１９と連通する中空穴１５ｃを有するマウスピース１５を裏側意匠用外殻１１ｂ側に配置するようにしている。
【００３２】
したがって、たとえば、全体意匠用外殻１１により表される意匠をアニメーション等のキャラクターを表す立体形状全体とした場合、当該キャラクターを正面から見た部分を、主たる鑑賞面として表側意匠用外殻１１ａ側に形成する一方、呼び子１の機能部分であり機能上必要な寸法・形状が要求される音響穴１３およびマウスピース１５を、当該キャラクターの背面を構成する裏側意匠用外殻１１ｂ側に配置することになる。このように構成することで、主たる鑑賞面すなわち正面からみたときに、呼び子としての機能を維持しつつ呼び子のイメージをほとんど感じさせないようにすることができる。
【００３３】
なお、上述の実施形態においては、マウスピースや吊り下げ用環を第１合成樹脂形成体と第２合成樹脂成形体とに分割して成形するよう構成したが、この発明はこれに限定されるものではない。たとえば、マウスピースや吊り下げ用環を第１合成樹脂形成体または第２合成樹脂成形体のいずれか一方に成形するよう構成することもできる。この場合、マウスピースや吊り下げ用環を、全体意匠用外殻により表される意匠の主たる鑑賞面でない側の合成樹脂成形体に設けるのが好ましい。また、吊り下げ用環は必ずしも設ける必要はないが、紐やキーホルダーなどを用いて吊すための何らかの吊り下げ用部材を設けるのが好ましい。
【００３４】
また、上述の実施形態においては、第１合成樹脂形成体と第２合成樹脂成形体とを接合する際、第１合成樹脂形成体および第２合成樹脂成形体にそれぞれ設けた結合部を結合させる（実施形態では、表側結合部２３ａの挿入用穴に、裏側部材５の一対の裏側結合部２３ｂを挿入する）とともに接着剤を用いるよう構成したが、第１合成樹脂形成体と第２合成樹脂成形体とを接合する方法はこれに限定されるものではない。たとえば、接着剤を用いる代わりに高周波等を用いて熱溶着してもよい。また、結合部のはめ合わせによる保持力（摩擦力や機械的かみ合わせ）のみで接合するようにしても良い。
【００３５】
また、上述の実施形態においては、キャビティ内に小玉を封入したタイプの呼び子を例に説明したが、キャビティ内に小玉を封入しないタイプの呼び子にも、この発明を適用することができる。また、上記実施形態におけるキャビティの形状（実施形態では略円柱形）を含め、呼び子の各部の形状は例示のためのものであり、この発明はそのような形状に限定されるものではない。
【００３６】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。
【図面の簡単な説明】
【００３７】
【図１】図１Ａ、図１Ｂおよび図１Ｃは、それぞれ、この発明の一実施形態による呼び子１の構成を示す正面図、右側面図および背面図である。
【図２】図２Ａおよび図２Ｂは、それぞれ、呼び子１を構成する表側部材３の構成を示す背面図および右側面図である。
【図３】図３Ａおよび図３Ｂは、それぞれ、呼び子１を構成する裏側部材５の構成を示す正面図および右側面図である。
【符号の説明】
【００３８】
１：呼び子
３：表側部材
５：裏側部材
１１：全体意匠用外殻
１１ａ：表側意匠用外殻
１１ｂ：裏側意匠用外殻
１９：キャビティ
２１：隔壁
２７：内部空間
特許出願人  株式会社ケイカンパニー
出願人代理人  弁理士  田川  幸一
【図１】
2005258146.tif 000003
【図２】
2005258146.tif 000004
【図３】
2005258146.tif 000005